(57)【要約】【課題】容易に青果の芯をくり抜くことができる芯取り器を提供する。【解決手段】青果用芯取り器１０は、把手１１と、把手の一端に取り付けられたベース板１２と、把手とは反対側の位置においてベース板に取り付けられた３枚の同一形状の刃であって、把手の軸線を中心とする円周上に等円周角に配置されている刃１３と、キャップ１４と、からなる。【選択図】図１
0003123530.tif 000002
【実用新案登録請求の範囲】
【請求項１】
把手と、
前記把手の一端に取り付けられたベース板と、
前記把手とは反対側の位置において前記ベース板に取り付けられた少なくとも２枚の同一形状の刃であって、前記把手の軸線を中心とする円周上に等円周角に配置されている刃と、
からなる青果用芯取り器。
【請求項２】
前記刃は先端に近いほど幅が小さくなる形状をなしていることを特徴とする請求項１に記載の青果用芯取り器。
【考案の詳細な説明】
【技術分野】
【０００１】
本考案は、野菜や果実の芯を取り出す青果用芯取り器に関する。
【背景技術】
【０００２】
ピーマンの芯を取り出す芯取り器として特開２００３−２５０６９５号公報に記載されたものがある。
【０００３】
同公報に記載された芯取り器は、柄と、柄の一端に取り付けられた円筒形状の刃と、柄の一端において円筒形状の刃の中心位置に取り付けられた剣先と、柄の内部において摺動可能に配置された芯押し出し棒と、から構成されている。
【０００４】
剣先は円筒形状の刃を越えて突出しており、芯の取り出し前においては芯押し出し棒は柄の内部に収納されている。
【０００５】
この芯取り器を用いてピーマンの芯を取り出す場合には、まず、剣先をピーマンのヘタに突き刺し、次いで、円筒形状の刃を回転させながらピーマンに食い込ませる。円筒形状の刃がピーマンの皮を貫通した後、芯取り器をピーマンから抜き取る。
【０００６】
ピーマンの芯は剣先に突き刺さった状態で円筒形状の刃の中に収まっている。芯押し出し棒をスライドさせることにより、芯を円筒形状の刃の中から押し出すことができる。
【考案の開示】
【考案が解決しようとする課題】
【０００７】
上述の従来の芯取り器においては、ピーマンの芯を取り出すために、第一に、剣先でピーマンを刺し、第二に、円筒形状の刃でピーマンの皮を切る、という作業を行なう必要がある。
【０００８】
特に、円筒形状の刃をピーマンの皮に突き刺す場合、先端が尖っていないため、刃をピーマンの皮に突き刺しにくいという問題点があった。
【０００９】
さらに、円筒形状の刃を用いる場合、ピーマンとの接触面積が大きいため、接触抵抗が大きくなり、円筒形状の刃を回転させにくい、という問題点もあった。
【００１０】
また、上述の従来の芯取り器は部品点数が多く、その分、構造も複雑とならざるを得なかった。
【００１１】
本考案は、以上のような従来の芯取り器における問題点に鑑みてなされたものであり、芯を取り出す対象の青果に突き刺しやすく、従来の芯取り器よりも小さい抵抗で芯を取り出すことができ、かつ、より簡単な構造を有する青果用芯取り器を提供することを目的とする。
【課題を解決するための手段】
【００１２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１３】
上記の目的を達成するため、本考案は、把手（１１）と、前記把手（１１）の一端に取り付けられたベース板（１２）と、前記把手（１１）とは反対側の位置において前記ベース板（１２）に取り付けられた少なくとも２枚の同一形状の刃（１３）であって、前記把手（１１）の軸線を中心とする円周上に等円周角に配置されている刃（１３）と、からなる青果用芯取り器を提供する。
【００１４】
前記刃（１３）は先端に近いほど幅が小さくなる形状をなしていることが好ましい。
【考案の効果】
【００１５】
本考案に係る青果用芯取り器によれば、各刃は相互に間隔を空けて配置されているため、従来の芯取り器とは異なり、芯取りの対象となる青果に容易に突き刺すことができる。
【００１６】
また、従来の芯取り器においては、円筒形状の刃を用いていたため、ピーマンとの接触面積が大きく、接触抵抗が大きくなり、円筒形状の刃を回転させにくい、という問題点があったが、本考案に係る青果用芯取り器においては、少なくとも２枚の刃が相互に離れた状態で配置されているため、円筒形状の刃のように回転させにくいと言うことはなく、容易に回転させ、芯をくり抜くことができる。
【００１７】
また、本考案に係る芯取り器は、上述の従来の芯取り器と比較して、部品点数が少なく、かつ、構造も単純化されているが、上述の従来の芯取り器と同等の効果を奏する。
【考案を実施するための最良の形態】
【００１８】
図１は本考案の一実施形態に係る青果用芯取り器１０の正面図、図２は青果用芯取り器１０の平面図、図３は青果用芯取り器１０の側面図である。
【００１９】
本実施形態に係る青果用芯取り器１０は、棒状の把手１１と、把手１１の先端に取り付けられたベース板１２と、把手１１とは反対側の位置においてベース板１２に取り付けられた３枚の同一形状の刃１３と、ベース板１２に着脱自在に取り付けられ、刃１３を覆うキャップ１４と、から構成されている。
【００２０】
把手１１は、図２に示すように、楕円に近い形状の横断面を有しており、ユーザーが掴み易いようになっている。
【００２１】
ベース板１２は、図２に示すように、ほぼ円形の板部材からなる。
【００２２】
図１及び図３に示すように、把手１１の先端には凸部１５が形成されており、ベース板１２には凸部１５が嵌合可能な凹部１６が形成されている。把手１１は、凸部１５を凹部１６から抜くことにより、ベース板１２から取り外すことができるようになっており、用途に応じて、種々の大きさまたは形状の把手１１をベース板１２に取り付けることができるようになっている。
【００２３】
ベース板１２に取り付けられている３枚の刃１３は把手１１の軸線を中心とする円周上において等円周角に配置されている。
【００２４】
図１及び図３に示すように、３枚の刃１３の各々は二等辺三角形の形状、すなわち、先端に近いほど幅が小さくなる形状を有している。刃１３の先端は丸められているが、尖っていてもよい。
【００２５】
キャップ１４は半ドーム形状の補助キャップ１４Ａとドーム形状のメインキャップ１４Ｂとからなり、補助キャップ１４Ａは、把手１１と同じ側において、ベース板１２に取り付けられており、メインキャップ１４Ｂは、把手１１と反対側において、補助キャップ１４Ａに対して着脱自在に取り付けられている。
【００２６】
図１及び図３に示すように、補助キャップ１４Ａにはその外縁に弾性材料からなる凸部１７が形成されており、メインキャップ１４Ｂには凸部１７に嵌合可能な凹部１８が形成されている。メインキャップ１４Ｂはその凹部１８を凸部１７に嵌合させることにより、補助キャップ１４Ａに、ひいては、ベース板１２に取り付けることができ、凹部１８を凸部１７から外すことにより、補助キャップ１４Ａから、ひいては、ベース板１２から取り外すことができる。
【００２７】
メインキャップ１４Ｂを補助キャップ１４Ａに取り付けたときのキャップ１４の全体的な形状はピーマンの形状を模しており、本実施形態に係る芯取り器１０を遠くからでも容易に識別することができるようになっている。
【００２８】
また、メインキャップ１４Ｂはピーマンと同様のグリーンに着色されている。メインキャップ１４Ｂと同様に、補助キャップ１４Ａもグリーンに着色することができる。
【００２９】
本実施形態に係る青果用芯取り器１０は以下のようにして使用する。一例として、ピーマンの芯を取り出す場合について説明する。
【００３０】
まず、メインキャップ１４Ｂの凹部１８を補助キャップ１４Ａの凸部１７から外すことにより、メインキャップ１４Ｂを補助キャップ１４Ａから、ひいては、ベース板１２から取り外す。
【００３１】
次いで、３枚の刃１３をピーマンのヘタの側から刺し込む。
【００３２】
次いで、刃１３を把手１１の軸線を中心として一方向に回転させる。これにより、ピーマンの芯は周囲のピーマンの皮からくり抜かれる。この場合、芯取り器１０には刃１３が３枚設けられているため、刃１３を一周の１／３、すなわち、１２０度の円周角に相当する分だけ、回転させることにより、ピーマンの芯を全てくり抜くことが可能である。
【００３３】
一般に、芯取り器１０がＮ枚の刃１３を有する場合（Ｎは２以上の正の整数）、３６０／Ｎ度の円周角に相当する分だけ刃１３を回転させることにより、ピーマンの芯をくり抜くことができる。
【００３４】
ピーマンの芯をくり抜いた後、刃１３をピーマンから抜き取る。ピーマンの芯は３枚の刃１３に挟まれた状態で取り出される。ピーマンの芯は適当な方法で３枚の刃１３の間から取り出せばよい。
【００３５】
以上のように、本実施形態に係る青果用芯取り器１０によれば、各刃１３は相互に間隔を空けて配置されているため、従来の芯取り器とは異なり、芯取りの対象となる青果に容易に突き刺すことができる。
【００３６】
また、本実施形態に係る青果用芯取り器１０においては、３枚の刃１３が相互に離れた状態で配置されているため、従来の芯取り器における円筒形状の刃のように回転させにくいと言うことはなく、容易に回転させ、芯をくり抜くことができる。
【００３７】
さらに、各刃１３は一周の１／３だけ回転させれば良く、効率的に芯取りを行なうことができる。
【００３８】
また、本実施形態に係る青果用芯取り器１０は、上述の従来の芯取り器と比較して、部品点数が少なく（例えば、剣先や芯押し出し棒は不要である）、かつ、構造も単純化されているが（円筒形状の刃ではなく、通常の刃を使用することが可能である）、上述の従来の芯取り器と同等の効果を奏する。
【００３９】
さらに、キャップ１４がピーマンの形状及び色と同じ形状及び色をなしているため、他の道具と一緒に置かれている場合であっても、本実施形態に係る青果用芯取り器１０を容易に識別することができる。
【００４０】
また、本実施形態に係る青果用芯取り器１０によれば、ピーマンのヘタと芯とが相互に付いたまま抜きだすことができるので、芯の中の種を散らすことを防止することが可能である。
【００４１】
なお、本実施形態に係る青果用芯取り器１０は上述の構造に限定されるものではなく、種々の変更が可能である。
【００４２】
例えば、本実施形態に係る青果用芯取り器１０においては、把手１１はベース板１２に対して着脱自在に構成されているが、把手１１をベース板１２に対して固定することも可能である。
【００４３】
また、本実施形態に係る青果用芯取り器１０は３枚の刃１３を有するものとして構成されているが、２枚または４枚以上の刃１３を有するものとして構成することも可能である。すなわち、刃１３の枚数は、２以上の数の範囲内において、任意に選定することができる。
【００４４】
本実施形態に係る青果用芯取り器１０における刃１３は二等辺三角形の形状をなしているが、刃１３の形状はそのような形状には限定されない。先端に近いほど幅が小さくなる形状を有している限り、刃１３は、例えば、矩形状または半楕円形状にすることができる。
【００４５】
また、本実施形態に係る青果用芯取り器１０におけるキャップ１４はピーマンの形状及び色彩を模したが、他の青果の形状及び色彩を模したものとすることも可能である。
【図面の簡単な説明】
【００４６】
【図１】本考案の一実施形態に係る青果用芯取り器の正面図である。
【図２】本考案の一実施形態に係る青果用芯取り器の平面図である。
【図３】本考案の一実施形態に係る青果用芯取り器の側面図である。
【符号の説明】
【００４７】
１０  本考案の一実施形態に係る青果用芯取り器
１１  把手
１２  ベース板
１３  刃
１４  キャップ
１４Ａ  補助キャップ
１４Ｂ  メインキャップ
１５  凸部
１６  凹部
１７  凸部
１８  凹部
【図１】
0003123530.tif 000003
【図２】
0003123530.tif 000004
【図３】
0003123530.tif 000005